(57)【要約】【課題】移動体端末装置に着脱される外部装置の脱着をユーザが早期に知ることができる移動体端末装置を提供する。【解決手段】移動体端末装置１は、外部メモリカードＭＣが着脱されてその着脱を検出するカードインターフェイス２２を備えている。制御部１３は、生体認証部２１の認証結果に応じて移動体端末装置１に設けられる機能の一部の利用を制限する機能を有している。制御部１３によって移動体端末装置１の機能の一部の利用が制限されている場合に、カードインターフェイス２２により外部メモリカードＭＣの着脱が検出されたときには、バイブモータ１９により移動体端末装置１が振動し、発光部２０により移動体端末装置１が発光し、音声変換部１２により発音され、又はメッセージ送信部１８によりユーザ宛に電子メールが送信される。【選択図】図２
2008035484.tif 000002
【特許請求の範囲】
【請求項１】
外部装置が着脱自在な着脱部と、ユーザの設定に応じて機能の一部の利用を制限する保
護機能部とを備える移動体端末装置において、
前記着脱部に対する前記外部装置の着脱を検出する検出部と、
前記保護機能部によって前記機能の一部の利用が制限されている場合に、前記検出部に
より前記外部装置の着脱が検出されたときにその旨をユーザに報知する報知部と
を備えることを特徴とする移動体端末装置。
【請求項２】
前記報知部は、前記保護機能部によって前記機能の利用が制限されていない場合には、
前記検出部により前記外部装置の着脱が検出されても前記ユーザに対する前記報知を行わ
ないことを特徴とする請求項１記載の移動体端末装置。
【請求項３】
外部装置が着脱自在な着脱部と、ユーザの設定に応じて機能の一部の利用を制限する保
護機能部と、ユーザを認証して前記保護機能部による機能の制限を解除する認証部とを備
える移動体端末装置において、
前記着脱部に対する前記外部装置の着脱を検出する検出部と、
前記保護機能部によって前記機能の一部の利用が制限されている場合における前記検出
部の検出履歴を記憶する記憶部と、
前記認証部により前記保護機能部による機能の制限が解除された場合に、前記記憶部に
記憶されている検出履歴をユーザに報知する報知部と
を備えることを特徴とする移動体端末装置。
【請求項４】
外部装置が着脱自在な着脱部と、ユーザの設定に応じて機能の一部の利用を制限する保護機能部とを備える移動体端末装置において、
前記着脱部に対する前記外部装置の着脱を検出する検出部と、
前記保護機能部によって前記機能の一部の利用が制限されていない場合に、
前記移動体端末装置の充電を検出する充電検出部が充電を検出した際には、前記機能の一部の利用を制限するとともに、前記検出部により前記外部装置の脱着が検出されたときに、前記検出部の検出履歴を前記記憶部に記憶しその旨をユーザに報知する報知部と
を備えることを特徴とする移動体端末装置。
【請求項５】
前記報知部は、前記移動体端末装置を振動させる振動部、発光する発光部、及び音を発
する発音部の少なくとも１つを含み、前記振動部による振動、前記発光部による発光、及
び発音部による発音の少なくとも１つにより前記ユーザに対する報知を行うことを特徴と
する請求項１から請求項４の何れか一項に記載の移動体端末装置。
【請求項６】
前記報知部は、電子メールを送受信する送受信部を含み、当該電子メールの送信により
前記ユーザに対する報知を行うことを特徴とする請求項１から請求項５の何れか一項に記
載の移動体端末装置。
【発明の詳細な説明】
【技術分野】
【０００１】
本発明は、例えばユーザにより携帯される移動体端末装置に関する。
【背景技術】
【０００２】
携帯電話機、ＰＨＳ（Personal Handyphone System）、ノート型パーソナルコンピュー
タ、ＰＤＡ（Personal Digital Assistants）等の移動体端末装置は、機能の拡張性を考
慮し、又は利便性を向上させるために、外部装置を着脱可能としたものが殆どである。例
えば、携帯電話機は、他の携帯電話機等との間でデータのやりとりを可能とするために、
不揮発性の外部メモリカードが挿抜可能なものが多い。また、近年においては、ＳＩＭ（
Subscriber Identity Module：加入者識別モジュール）カードを用いることにより、例え
ば携帯電話機を所持しない者でも、他人から携帯電話機を借りて自己の所有するＳＩＭカ
ードを装着することにより通信が可能となっている。
【０００３】
このような移動体端末装置では、第三者によって外部装置が不正に着脱されると個人情
報が漏洩し、或いは第三者の不正利用により意図しない料金請求が行われる等の不利益を
被る虞がある。以下の特許文献１には、ＳＩＭカードが装着されているかどうかを常時監
視し、ＳＩＭカードからの応答が無い場合にＳＩＭカードの脱着があったと判断して、電
源投入前にＳＩＭカードの脱着があったことを示す脱着情報を記憶部に書き込み、電源投
入時にその脱着情報が記憶部に記憶されている場合には、電源投入前にＳＩＭカードの脱
着が検出されたと判断して脱着情報を表示して警告を発する技術が開示されている。
【特許文献１】特開２００１−２３８２６０号公報
【発明の開示】
【発明が解決しようとする課題】
【０００４】
ところで、上記の特許文献１に開示された技術においては、電源投入時に電源投入以前
のＳＩＭカードの脱着を検出して警告を発するため、移動体端末装置の所有者がＳＩＭカ
ードの脱着に気付くのが遅れ、個人情報漏洩等による被害が広がる可能性がある。また、
上述した外部メモリが挿抜可能な携帯電話機においては、外部メモリが小型であるため外
部メモリの脱着に気付かないことが多い。携帯電話機によっては外部メモリが装着されて
いるときにはその旨をアイコン表示等により表示するものが多いが、表示はあってもアイ
コンが小さくて見づらく、更には外部メモリが挿入されていさえすればアイコン表示が行
われるため、外部メモリが交換された場合には交換されたことに気付かないことが多い。
【０００５】
よって、個人情報漏洩等による被害が広がる可能性がある。
【０００６】
また、携帯電話機の所有者は外部メモリ等を装着した状態で充電を行い、充電中には、その場所から離れることが多いである。このような場合、第三者に携帯電話機の外部メモリを抜き取られたり、改ざんされる虞が生じる。
【０００７】
近年においては、上述したＳＩＭカード及び外部メモリカード以外に、通信用カード、
ワンセグ録画用カード、ＥＴＣ（Electronic Toll Collection：自動料金収受システム）
カード等の種々のカードが移動体端末装置に装着可能となってきている。これらの各種カ
ードは、ＳＩＭカードと同様に個人情報が記録されているが、更に各種データを保存する
こともでき、このことからデータを抜き取る、ウィルスを混入させる等が可能であり、被
害が大きくなる可能性もある。
【０００８】
本発明は、上記事情に鑑みてなされたものであり、移動体端末装置に着脱される外部装
置の脱着をユーザが早期に知ることができる移動体端末装置を提供することを目的とする
。
【課題を解決するための手段】
【０００９】
上記課題を解決するために、本発明の第１の観点による移動体端末装置は、外部装置が
着脱自在な着脱部と、ユーザの設定に応じて機能の一部の利用を制限する保護機能部とを
備える移動体端末装置において、前記着脱部に対する前記外部装置の着脱を検出する検出
部と、前記保護機能部によって前記機能の一部の利用が制限されている場合に、前記検出
部により前記外部装置の着脱が検出されたときにその旨をユーザに報知する報知部とを備
えることを特徴としている。
【００１０】
ここで、本発明の第１の観点による移動体端末装置は、前記報知部が、前記保護機能部
によって前記機能の利用が制限されていない場合には、前記検出部により前記外部装置の
着脱が検出されても前記ユーザに対する前記報知を行わないことを特徴としている。
【００１１】
上記課題を解決するために、本発明の第２の観点による移動体端末装置は、外部装置が
着脱自在な着脱部と、ユーザの設定に応じて機能の一部の利用を制限する保護機能部と、
ユーザを認証して前記保護機能部による機能の制限を解除する認証部とを備える移動体端
末装置において、前記着脱部に対する前記外部装置の着脱を検出する検出部と、前記保護
機能部によって前記機能の一部の利用が制限されている場合における前記検出部の検出履
歴を記憶する記憶部と、前記認証部により前記保護機能部による機能の制限が解除された
場合に、前記記憶部に記憶されている検出履歴をユーザに報知する報知部とを備えること
を特徴としている。
【００１２】
さらに、本発明の第３の観点による移動体端末装置は、前記着脱部に対する前記外部装置の着脱を検出する検出部と、前記保護機能部によって前記機能の一部の利用が制限されていない場合に、前記移動体端末装置の充電を検出する充電検出部が充電を検出した際には、前記機能の一部の利用を制限するとともに、前記検出部により前記外部装置の脱着が検出されたときに、前記検出部の検出履歴を前記記憶部に記憶しその旨をユーザに報知する報知部とを備えることを特徴としている。
【００１３】
また、本発明の第１、第２、第３の観点による移動体端末装置は、前記報知部が、前記移動体端末装置を振動させる振動部、発光する発光部、及び音を発する発音部の少なくとも１つを含み、前記振動部による振動、前記発光部による発光、及び発音部による発音の少なくとも１つにより前記ユーザに対する報知を行うことを特徴としている。
【００１４】
更に、本発明の第１、第２、第３の観点による移動体端末装置は、前記報知部が、電子メールを送受信する送受信部を含み、当該電子メールの送信により前記ユーザに対する報知を行うことを特徴としている。
【発明の効果】
【００１５】
本発明によれば、移動体端末装置の機能が制限されている場合において、外部装置の着
脱が行われると、その旨がユーザに報知されるため、外部装置の脱着をユーザが早期に知
ることができる。これにより、個人情報の漏洩による被害を最小限に食い止めることがで
きるという効果がある。
【発明を実施するための最良の形態】
【００１６】
以下、図面を参照して本発明の一実施形態による移動体端末装置について詳細に説明す
る。図１は、本発明の一実施形態による移動体端末装置の外観を示す図である。尚、以下
の説明では、移動体端末装置が携帯電話機である場合を例に挙げて説明する。図１に示す
通り、本実施形態の移動体端末装置１は、第１の筐体２と第２の筐体３とをヒンジ部４に
より互いに折り畳み自在に連結してなるものである。
【００１７】
第１の筐体２の内部には通話キー、終話キー、テンキー、ソフトキー等の各種の操作キ
ー５とマイクロフォン６とが設けられており、これらは、折り畳んだ際に第２の筐体３と
対向する第１の筐体２の対向面２ａ側に露出している。第２の筐体３の内部には、液晶表
示装置、有機ＥＬ表示装置等の表示装置７、スピーカー８、及びアンテナ９が設けられて
おり、表示装置７の表示面及びスピーカー８は、折り畳んだ際に第１の筐体２と対向する
第２の筐体３の対向面３ａ側に露出している。
【００１８】
表示装置７は、基地局と移動体端末装置１との通信状態、ユーザによる操作キー５の操
作内容を示す操作情報、電子メールの文章等の各種情報等を表示するためのものであり、
平面視略矩形状に形成されている。また、マイクロフォン６及びスピーカー８は、第１の
筐体２と第２の筐体３とを相互に開いた状態にてアンテナ９を介して、無線通話を行った
り、音楽再生や音声録音時に使用するものである。
【００１９】
また、本実施形態の移動体端末装置１は、第１の筐体２の一側面２ｂに外部メモリカー
ドＭＣ（外部装置）を挿入するスロット１０（着脱部）を備える。この外部メモリカード
ＭＣは、内部に不揮発性のメモリを備えており、例えばユーザ毎の電話番号、電子メール
アドレス等を含むアドレス帳、後述するカメラ部で撮影した撮影データ等を記憶する。ユ
ーザによって外部メモリカードＭＣが移動体端末装置１のスロット１０に挿入されると、
移動体端末装置１は外部メモリカードＭＣが挿入されたことを検知する。これにより、ス
ロット１０に外部メモリカードＭＣが挿入されている旨を示すアイコンが表示装置７に表
示される。
【００２０】
図２は、本発明の一実施形態による移動体端末装置１の要部構成を示すブロック図であ
る。尚、図２においては、図１に示した部材に相当するものには同一の符号を付してある
。図２に示す通り、本実施形態の移動体端末装置１は、無線送受信部１１、音声変換部１
２、制御部１３、メモリ１４、キー操作部１５、カメラ部１６、表示部１７、メッセージ
送信部１８、バイブモータ１９、発光部２０、生体認証部２１、及びカードインターフェ
イス２２を備えている。
【００２１】
無線送受信部１１は、制御部１３による制御の下で、所定の通信方式（例えば、ＣＤＭ
Ａ方式等）を用いて不図示の基地局との間で無線通信を行うものである。音声変換部１２
は、図１に示すマイクロフォン６及びスピーカー８を備えており、制御部１３の制御の下
で、無線送受信部１１から出力される受信信号に対して所定の処理を施してスピーカー８
に出力するとともに、マイクロフォン６から出力される音声信号に対して所定の処理を施
して無線送受信部１１に出力する。また、音声変換部１２は、制御部１３から出力される
制御信号に基づいてスピーカー８から電子音を発生させる。
【００２２】
制御部１３は、図１に示す移動体端末装置１の各部を制御することにより、移動体端末
装置１の動作を統括的に制御する。メモリ１４は、制御部１３で実行される各種制御プロ
グラムを記憶しているとともに、制御部１３で用いられる各種制御情報を一時的に記憶す
る。また、外部メモリカードＭＣの挿抜履歴やカメラ部１６で撮影された撮影データも記
憶する。キー操作部１５は、図１に示す操作キー５を備えており、ユーザによる操作キー
５の操作内容を操作信号として制御部１３に出力する。
【００２３】
カメラ部１６は、例えば第２の筐体３の対向面３ａとは反対側の面に設けられており、
ユーザの操作によって被写体を撮影する。カメラ部１６で撮影された撮影データは、制御
部１３を介してメモリ１４に記憶される。尚、ユーザが所定の操作を行うことにより、メ
モリ１４に記憶されている撮影データを外部メモリカードＭＣに記憶されている撮影デー
タを移動させる事も可能である。
【００２４】
表示部１７は、図１に示す表示装置７を備えており、制御部１３から入力される表示制
御信号に基づいて各種メッセージ、電話番号、画像等を表示する。メッセージ送信部１８
は、ユーザがキー操作部１５を操作して入力したメッセージ、又は予め用意されたメッセ
ージを電子メールにて送信する。バイブモータ１９は、制御部１３から制御信号が出力さ
れたときに動作して移動体端末装置１を振動させる。発光部２０は、例えば第１の筐体２
又は第２の筐体３に設けられたＬＥＤ（Light Emitting Diode）等の発光素子を備えてお
り、制御部１３から制御信号が出力されたときにＬＥＤを発光させる。
【００２５】
生体認証部２１は、生体認証センサ部２１ａとインターフェイス回路２１ｂとを備えて
おり、移動体端末装置１のユーザが正規のユーザであるか否かを認証し、その認証結果を
制御部１３に出力する。生体認証センサ部２１ａは、ユーザの指紋を認証するもの、音声
を認証するもの、静脈を認証するものの何れであっても良く、予め登録されているユーザ
の認証情報（例えば、指紋の画像情報）と、読み取って得られたユーザの認証情報とを比
較し、これらの情報が一致する場合にはユーザが正規のユーザであると認証する。
【００２６】
尚、制御部１３は、生体認証部２１により認証が行われていないときには、移動体端末
装置１の機能の一部の利用を制限（ロック）する。例えば、ユーザによるアドレス帳の利
用、ユーザによる受信メールの閲覧等を制限する。このように、制御部１３は保護機能部
として機能する。尚、ここではユーザの認証に生体認証を用いる例を挙げるが、ユーザの
認証はパスワードの入力により行っても良い。
【００２７】
カードインターフェイス２２は、図１に示すスロット１０に挿入された外部メモリカー
ドＭＣと制御部１３とを電気的に接続する。また、カードインターフェイス２２は、スロ
ット１０に対する外部メモリカードＭＣの挿抜を検出する検出部を備えており、その検出
結果を制御部１３に出力する。
【００２８】
図３は、本発明の一実施形態による移動体端末装置１の動作の一例を示すフローチャー
トである。図３に示すフローチャートに従った処理は、例えば一定の時間間隔で行われ、
又はユーザがキー操作部１５を操作して移動体端末装置１をロック状態にする操作を行っ
たときに開始される。処理が開始されると、移動体端末装置１の制御部１３は、移動体端
末装置１がロック状態であるか否かを判断する（ステップＳ１１）。この判断結果が「Ｎ
Ｏ」である場合、つまり移動体端末装置１がロック状態でない場合には、図３に示す一連
の処理は終了する。
【００２９】
一方、ステップＳ１１の判断結果が「ＹＥＳ」である場合、つまり移動体端末装置１が
ロック状態である場合には、制御部１３はカードインターフェイス２２で外部メモリカー
ドＭＣの挿抜が検出されたか否かを判断する（ステップＳ１２）。尚、ここでは、図３に
示す処理が開始される前に予め外部メモリカードＭＣがスロット１０に挿入されている場
合を考える。よって、ステップＳ１２では外部メモリカードＭＣがスロット１０から抜き
取られた否かが判断される。
【００３０】
スロット１０から外部メモリカードＭＣが抜き取られていない場合はステップＳ１２の
判断結果が「ＮＯ」となり、外部メモリカードＭＣの抜き取り検出の有無の判断（ステッ
プＳ１２）が再度行われる。一方、スロット１０から外部メモリカードＭＣが抜き取られ
た場合はステップＳ１２の判断結果が「ＹＥＳ」となり、制御部１３は外部メモリカード
ＭＣの挿抜履歴をメモリ１４に記憶する（ステップＳ１３）。ここで、挿抜履歴には、外
部メモリカードＭＣが挿入されたか又は抜き取られたかを示す情報と、その操作が行われ
た時刻を示す情報とが対応付けられて記憶される。
【００３１】
次に、制御部１３は、外部メモリカードＭＣの挿抜が行われた旨をユーザに報知する（
ステップＳ１４）。ここで、制御部１３はバイブモータ１９又は発光部２０に制御信号を
出力して移動体端末装置１を振動させ、又は発光させることにより外部メモリカードＭＣ
の挿抜が行われた旨をユーザに報知する。或いは、音声変換部１２に音声信号を出力して
発音させることにより外部メモリカードＭＣの挿抜が行われた旨をユーザに報知する。
【００３２】
更には、制御部１３は、メモリ１３に記憶されている挿抜履歴を読み出してメッセージ
送信部１８に出力し、メッセージ送信部１８に挿抜履歴を内容とする電子メールを送信さ
せることにより外部メモリカードＭＣの挿抜が行われた旨をユーザに報知する。尚、電子
メールの送信先のアドレスは、ユーザによって予め設定されているアドレス（例えば、移
動体端末装置１のユーザのパーソナルコンピュータで用いている電子メールのアドレス）
である。
【００３３】
以上の処理によって、移動体端末装置１がロック状態にあるときに外部メモリカードＭ
Ｃの挿抜が行われると、移動体端末装置１が震え、発光し、若しくは音声が発せられ、又
は電子メールが送信されることにより外部メモリカードＭＣの挿抜が行われた旨が移動体
端末装置１のユーザに通知される。移動体端末装置１のユーザが移動体端末装置１を携帯
しているときに上記の通知がなされても余り意味が無いが、第三者が不正に移動体端末装
置１を使用しているときに移動体端末装置１が震え、発光し、若しくは音声が発せられれ
ば、第三者が外部メモリカードＭＣを挿抜することを躊躇するため、第三者への個人情報
の漏洩を抑制することができる。また、移動体端末装置１のユーザは、電子メール等によ
る通知によって第三者が外部メモリカードＭＣの挿抜を行った旨を早期に知ることができ
る。これにより、個人情報の漏洩による被害を最小限に食い止めることができる。
【００３４】
図４は、本発明の一実施形態による移動体端末装置１の動作の他の例を示すフローチャ
ートである。図４に示すフローチャートに従った処理は、例えば移動体端末装置１のユー
ザがキー操作部１５を操作して、移動体端末装置１に対して認証処理の開始を指示するこ
とにより開始される。処理が開始されると、移動体端末装置１の制御部１３は、生体認証
部２１に対してユーザの認証処理を行わせる（ステップＳ２１）。
【００３５】
生体認証部２１の認証結果は制御部１３に出力され、これにより制御部１３は移動体端
末装置１のユーザが正規のユーザであるか否かを判断する（ステップＳ２２）。正規のユ
ーザではないと判断した場合（ステップＳ２２の判断結果が「ＮＯ」の場合）には、図４
に示す一連の処理は終了する。一方、ステップＳ２２の判断結果が「ＹＥＳ」である場合
、つまり移動体端末装置１にのユーザが正規のユーザであると判断した場合には、制御部
１３は移動体端末装置１のロック状態を解除させる（ステップＳ２３）。これにより、移
動体端末装置１の機能が全て使用可能状態になる。
【００３６】
ロック状態を解除すると、移動体端末装置１の制御部１３は、メモリ１４を検索して外
部メモリカードＭＣの挿抜履歴の有無を判断する（ステップＳ２４）。この判断結果が「
ＮＯ」である場合、即ち外部メモリカードＭＣの挿抜履歴が無い場合には、一連の処理が
終了する。これに対し、ステップＳ２４の判断結果が「ＹＥＳ」である場合（外部メモリ
カードＭＣの挿抜履歴がある場合）には、制御部１３は、外部メモリカードＭＣの挿抜が
行われた旨をユーザに報知する（ステップＳ２５）。ここで、上記の通知は、バイブモー
タ１９の駆動による移動体端末装置１の振動、発光部２０の発光、又は音声変換部１２に
よる音声の発音、表示部１７による挿抜履歴の表示等により行われる。また、電子メール
の送信によってユーザへの通知を行っても良い。
【００３７】
移動体端末装置１がロック状態にされてから外部メモリカードＭＣの挿抜履歴を記録す
ることで、ロック状態にあった移動体端末装置１に対する外部メモリカードＭＣの挿抜を
、ユーザがロック状態を解除するときに即座に知ることができる。尚、ロック状態を解除
することができるのは生体認証部２１で認証される正規のユーザのみである。このため、
第三者によって挿抜履歴が消去されるという事態は考え難く、正規のユーザが不正な操作
を早期に知ることができる。これにより、個人情報の漏洩による被害を最小限に食い止め
ることができる。
【００３８】
尚、図４に示す処理では、ロック状態にされてからロック状態が解除されるまでの外部
メモリカードＭＣの挿抜履歴をユーザに通知する例について説明したが、移動体端末装置
１の第１の筐体２と第２の筐体３とが折り畳まれてから広げられるまでの外部メモリカー
ドＭＣの挿抜履歴をユーザに通知しても良い。これを実現するためには、移動体端末装置
１の第１の筐体２と第２の筐体３とが折り畳まれているか否かを検出する検出装置を設け
、この検出装置により折り畳みが検出されている間は外部メモリカードＭＣの挿抜履歴を
記録すれば良い。そして、検出装置により移動体端末装置１の第１の筐体２と第２の筐体
３とが広げられたことが検出されたときに挿抜履歴が記録されていれば、これをユーザに
通知する。
【００３９】
図５は、本発明の一実施形態による移動体端末装置１の要部構成を示すブロック図であ
る。尚、図５においては、図１に示した部材に相当するものには同一の符号を付してある
。また、充電端子３１は第１の筐体２の背面に配設されてある。図５に示す通り、本実施形態の移動体端末装置１は、無線送受信部１１、音声変換部１２、制御部１３、メモリ１４、キー操作部１５、カメラ部１６、表示部１７、メッセージ送信部１８、バイブモータ１９、発光部２０、生体認証部２１、充電検出部３０、充電端子３１及びカードインターフェイス２２を備えている。
【００４０】
無線送受信部１１は、制御部１３による制御の下で、所定の通信方式（例えば、ＣＤＭ
Ａ方式等）を用いて不図示の基地局との間で無線通信を行うものである。音声変換部１２
は、図１に示すマイクロフォン６及びスピーカー８を備えており、制御部１３の制御の下
で、無線送受信部１１から出力される受信信号に対して所定の処理を施してスピーカー８
に出力するとともに、マイクロフォン６から出力される音声信号に対して所定の処理を施
して無線送受信部１１に出力する。また、音声変換部１２は、制御部１３から出力される
制御信号に基づいてスピーカー８から電子音を発生させる。
【００４１】
制御部１３は、図１に示す移動体端末装置１の各部を制御することにより、移動体端末
装置１の動作を統括的に制御する。メモリ１４は、制御部１３で実行される各種制御プロ
グラムを記憶しているとともに、制御部１３で用いられる各種制御情報を一時的に記憶す
る。また、外部メモリカードＭＣの挿抜履歴やカメラ部１６で撮影された撮影データも記
憶する。キー操作部１５は、図１に示す操作キー５を備えており、ユーザによる操作キー
５の操作内容を操作信号として制御部１３に出力する。
【００４２】
カメラ部１６は、例えば第２の筐体３の対向面３ａとは反対側の面に設けられており、
ユーザの操作によって被写体を撮影する。カメラ部１６で撮影された撮影データは、制御
部１３を介してメモリ１４に記憶される。尚、ユーザが所定の操作を行うことにより、メ
モリ１４に記憶されている撮影データを外部メモリカードＭＣに記憶されている撮影デー
タを移動させる事も可能である。
【００４３】
表示部１７は、図１に示す表示装置７を備えており、制御部１３から入力される表示制
御信号に基づいて各種メッセージ、電話番号、画像等を表示する。メッセージ送信部１８
は、ユーザがキー操作部１５を操作して入力したメッセージ、又は予め用意されたメッセ
ージを電子メールにて送信する。バイブモータ１９は、制御部１３から制御信号が出力さ
れたときに動作して移動体端末装置１を振動させる。発光部２０は、例えば第１の筐体２
又は第２の筐体３に設けられたＬＥＤ（Light Emitting Diode）等の発光素子を備えてお
り、制御部１３から制御信号が出力されたときにＬＥＤを発光させる。
【００４４】
生体認証部２１は、生体認証センサ部２１ａとインターフェイス回路２１ｂとを備えて
おり、移動体端末装置１のユーザが正規のユーザであるか否かを認証し、その認証結果を
制御部１３に出力する。生体認証センサ部２１ａは、ユーザの指紋を認証するもの、音声
を認証するもの、静脈を認証するものの何れであっても良く、予め登録されているユーザ
の認証情報（例えば、指紋の画像情報）と、読み取って得られたユーザの認証情報とを比
較し、これらの情報が一致する場合にはユーザが正規のユーザであると認証する。      
充電検出部３０は制御部１３と充電端子３１との間にあり、外部の充電器３２が充電端子に所定の時間接触し、充電検出部が充電器を検出すると、その情報に基づき、制御部は移動体端末装置１の機能の一部の利用を制限（ロック）する。
【００４５】
尚、制御部１３は、生体認証部２１により認証が行われていないときには、移動体端末
装置１の機能の一部の利用を制限（ロック）する。例えば、ユーザによるアドレス帳の利
用、ユーザによる受信メールの閲覧等を制限する。このように、制御部１３は保護機能部
として機能する。尚、ここではユーザの認証に生体認証を用いる例を挙げるが、ユーザの
認証はパスワードの入力により行っても良い。
【００４６】
カードインターフェイス２２は、図１に示すスロット１０に挿入された外部メモリカー
ドＭＣと制御部１３とを電気的に接続する。また、カードインターフェイス２２は、スロ
ット１０に対する外部メモリカードＭＣの挿抜を検出する検出部を備えており、その検出
結果を制御部１３に出力する。
【００４７】
図６は、本発明の一実施形態による移動体端末装置１の動作の一例を示すフローチャー
トである。図６に示すフローチャートに従った処理は、例えば一定の時間間隔で行われ、
又はユーザがキー操作部１５を操作して移動体端末装置１をロック状態にする操作を行っ
たときに開始される。処理が開始されると、移動体端末装置１の制御部１３は、移動体端
末装置１がロック状態であるか否かを判断する（ステップＳ１１）。この判断が「ＮＯ」である場合、つまり移動体端末装置１がロック状態でない場合には、充電検出が成されたか否かを更に判断する（ステップＳ１５）。ステップＳ１５の判断が「ＹＥＳ」の場合、つまり移動体端末装置１によって、充電が検出された場合は、移動体端末装置１の機能の一部を制限（ロック）する。一方ステップＳ１５の判断が「ＮＯ」の場合は図６に示す一連の処理は終了する。
【００４８】
一方、ステップＳ１１の判断結果が「ＹＥＳ」である場合、つまり移動体端末装置１が
ロック状態である場合には、制御部１３はカードインターフェイス２２で外部メモリカー
ドＭＣの挿抜が検出されたか否かを判断する（ステップＳ１２）。尚、ここでは、図３に
示す処理が開始される前に予め外部メモリカードＭＣがスロット１０に挿入されている場
合を考える。よって、ステップＳ１２では外部メモリカードＭＣがスロット１０から抜き
取られた否かが判断される。
【００４９】
スロット１０から外部メモリカードＭＣが抜き取られていない場合はステップＳ１２の
判断結果が「ＮＯ」となり、外部メモリカードＭＣの抜き取り検出の有無の判断（ステッ
プＳ１２）が再度行われる。一方、スロット１０から外部メモリカードＭＣが抜き取られ
た場合はステップＳ１２の判断結果が「ＹＥＳ」となり、制御部１３は外部メモリカード
ＭＣの挿抜履歴をメモリ１４に記憶する（ステップＳ１３）。ここで、挿抜履歴には、外
部メモリカードＭＣが挿入されたか又は抜き取られたかを示す情報と、その操作が行われ
た時刻を示す情報とが対応付けられて記憶される。
【００５０】
次に、制御部１３は、外部メモリカードＭＣの挿抜が行われた旨をユーザに報知する（
ステップＳ１４）。ここで、制御部１３はバイブモータ１９又は発光部２０に制御信号を
出力して移動体端末装置１を振動させ、又は発光させることにより外部メモリカードＭＣ
の挿抜が行われた旨をユーザに報知する。或いは、音声変換部１２に音声信号を出力して
発音させることにより外部メモリカードＭＣの挿抜が行われた旨をユーザに報知する。
【００５１】
以上、本発明の一実施形態による携帯端末装置について説明したが、本発明は上記実施
形態に制限されることなく、本発明の範囲内で自由に変更が可能である。例えば、上記実
施形態では、外部装置が外部メモリカードＭＣである場合を例に挙げて説明したが、外部
装置は外部メモリカードに限られる訳ではない。例えば、通信用カード、ＳＩＭカード等
の個人認証カード、ＥＴＣカード等の移動体端末装置に着脱可能な種々のカードを用いる
場合にも本発明を適用することができる。
【図面の簡単な説明】
【００５２】
【図１】本発明の一実施形態による移動体端末装置の外観を示す図である。
【図２】本発明の一実施形態による移動体端末装置１の要部構成を示すブロック図である。
【図３】本発明の一実施形態による移動体端末装置１の動作の一例を示すフローチャートである。
【図４】本発明の一実施形態による移動体端末装置１の動作の他の例を示すフローチャートである。
【図５】本発明の一実施形態による移動体端末装置１の要部構成を示すブロック図である。
【図６】本発明の一実施形態による移動体端末装置１の動作の他の例を示すフローチャートである。
【符号の説明】
【００５３】
１      移動体端末装置
１０    スロット
１２    音声変換部
１３    制御部
１４    メモリ
１７    表示部
１８    メッセージ送信部
１９    バイブモータ
２０    発光部
２１    生体認証部
２２    カードインターフェイス
３０    充電検出部
３１    充電端子
３２    充電器
ＭＣ    外部メモリカード
【図１】
2008035484.tif 000003
【図２】
2008035484.tif 000004
【図３】
2008035484.tif 000005
【図４】
2008035484.tif 000006
【図５】
2008035484.tif 000007
【図６】
2008035484.tif 000008